(57)【特許請求の範囲】
【請求項１】
ケースと、前記ケースに取り付けられた転写ヘッドと、前記ケースに着脱自在に取り付けられる、内部に塗膜転写テープが巻き回された供給リールと前記塗膜転写テープを巻き取る巻き取りリールとを収受保持しているテープカートリッジとを備えてなるカートリッジ式塗膜転写具において、前記ケースは、前記供給リールが回転する回転面と平行な底壁と、該底壁の外周に沿って立設された外周壁とを備え、上部は開口し、前記テープカートリッジは、前記ケースの前記外周壁に嵌合して嵌まる外周壁と該外周壁の上側を閉じる上側壁とを備えたカートリッジケースを備え、前記転写ヘッドは前記ケース内で伸長する軸部を備え、該軸部の軸芯回りに前記ケースに対して回転可能であり、前記カートリッジ式塗膜転写具はさらに、前記テープカートリッジを前記ケースに嵌めたときに、前記転写ヘッドをその軸心回りに一方向に回転させることにより、前記カートリッジを前記ケースに離脱不能に結合し、反対方向に回転させることによりその結合を解除することのできる結合手段が設けられており、該結合手段は、前記転写ヘッドに形成された係止部と、前記カートリッジケースに形成された被係止部とで構成されていることを特徴とする、カートリッジ式塗膜転写具。
【請求項２】
請求項１記載のカートリッジ式塗膜転写具において、前記係止部は前記転写ヘッドの前記軸部に一体に形成され、前記被係止部は前記カートリッジケースの前記上壁の下側に一体に形成されており、これらが互いに係止することにより、前記テープカートリッジが前記ケースの開いた側から外へ離脱するのを防止することを特徴とする、カートリッジ式塗膜転写具。
【請求項３】
請求項２記載のカートリッジ式塗膜転写具において、前記係止部は、前記転写ヘッドの前記軸部に一体に、該軸部から径方向で離れた位置に形成された前記軸芯を中心とする所定の長さの円弧状部分からなり、前記被係止部は、前記カートリッジケースの前記上壁の内面側に、前記上壁から垂下する垂下部に結合されて支持され、前記上壁から距離を隔てて形成された、前記転写ヘッドの前記軸部の前記軸芯を中心とする円弧状の部分からなり、前記軸部を前記一方向に回転させると前記係止部が前記被係止部の上側に位置することを特徴とする、カートリッジ式塗膜転写具。
【発明の詳細な説明】
【０００１】
【産業上の利用分野】
本発明は塗膜転写具に関し、さらに詳細に言えば、塗膜転写テープがケースに対し着脱自在に交換可能なカートリッジの形として構成され、転写具の転写ヘッドをその軸心回りに回転させることにより、ケースにこのカートリッジを離脱不能に結合する結合手段を備えたカートリッジ式塗膜転写具に関する。
【０００２】
【従来の技術】
従来から、例えば書いた文字の修正等を行う際にその部分に修正塗膜を塗布する塗膜転写具が使用されている。そして、その塗膜転写具に使用する修正用テープをカートリッジとして構成し、交換可能としたものが例えば特許第２９４３１３４号等に開示されている。
【０００３】
しかしこれらのカートリッジ式塗膜転写具においては、転写具本体あるいはケースは上下二つの部材で構成され、カートリッジの交換を行うにはこれらの結合を一度外し、内部のカートリッジを交換したのち再度これら二つの部材を組み立てて、カートリッジをケース内部に保持するようになっている。従って、部品点数も多く、交換作業にも時間を要する。
【０００４】
また、従来の塗膜転写具では、供給リールや巻き取りリールが垂直面内で回転する状態で転写具を保持し、転写作業を行う所謂縦引きが行われていたが、使い勝手が余り良くなく、転写ヘッドをその軸心回りに９０度回転させて使用する横引きが望まれるようになっている。
【０００５】
【発明が解決しようとする課題】
本願発明は上記課題に鑑みなされたものであり、部品点数が少なく、カートリッジの交換作業も簡単で、必要に応じて横引きを行う際に転写ヘッドを回転させることにより、カートリッジをケースへ離脱不能に固定することのできるカートリッジ式塗膜転写具を提供することをその課題とする。
【０００６】
【課題を解決するための手段】
本発明は上記従来の問題点に鑑みなされたものであり、本発明の塗膜転写具は、ケースと、転写ヘッドと、ケースに着脱自在に取り付けられる、内部に塗膜転写テープが巻き回された供給リールと該テープを巻き取る巻き取りリールとを収受保持しているカートリッジとで構成し、ケースは、供給リールが回転する回転面と平行な底壁と、該底壁の外周に沿って立設された外周壁とを備え、上部は開口している。テープカートリッジは、ケースの外周壁に嵌合して嵌まる外周壁と該外周壁の上側を閉じる上側壁とを備えている。そして、テープカートリッジをケースに嵌めた状態で、ヘッドをその軸心回りに一方向に回転させるとテープカートリッジはケースに離脱不能に結合され、反対方向に回転させることによりその結合を外されるようにした。
【０００７】
【発明の実施の形態】
以下、図面に基づき本願発明の具体的実施の形態を説明するが、本願発明の範囲は以下に説明される実施の形態に限定されるものではない。
【０００８】
図１は、本発明の具体的実施の形態にかかる塗膜転写具１の縦引き状態で示す縦断面図で、図２乃至図５はそれぞれ図１のＡ−Ａ断面、Ｂ−Ｂ断面、Ｃ−Ｃ断面及びＤ−Ｄ断面図である。この転写具１は、ケース３と転写ヘッド１７とテープカートリッジ３１とで大略構成されている。
【０００９】
ケース３は底壁５を備え、この底壁５の平面形状は、図２に示されるように半円よりやや大きい円弧部６と、この円弧部の両端部において引かれた二本の接線部分７ａ、７ｂと、接線部の先端部分を繋ぐ直線部８とで構成されている。そしてこの底壁５の円弧部６と接線部７ａ、７ｂに沿って円弧部１０接線部１１ａ、１１ｂとからなる周壁９が立設されている。ただし、接線部１１ａ、１１ｂは底壁５の直線部８の近くには伸びておらず、切欠き部１２ａ、１２ｂが形成されている。そしてケース３は図示のとおり、その中心線Ｌ−Ｌ（図２）に関して対称となっている。なお、底壁５には中心線Ｌ上で、円弧部６の中心と、それより少し直線部８寄りの位置にそれぞれ中心を有する半円を結んで形成された長孔５ａ（図１、５）が設けられている。
【００１０】
また、底壁５上には、長孔５ａより直線部８寄りに、中心線Ｌ上でその方向に延びる、断面長方形の突起或いは台座１３（図１及び図３）が形成されている。そしてこの台座１３に、図３に断面形状が詳細に示されているように、上部円弧部１５ａと、その両端部に繋がる垂直直線部１５ｂ、１５ｃと、その下端部に繋がり水平に延びる水平直線部１５ｄ、１５ｅを備えたヘッド軸固定部材１５が図示の如く取り付けられている。台座１３と固定部材１５の円弧部１５ａにより画成されるスペースに後述の転写ヘッドの軸が挿入される。
【００１１】
符号１７は転写ヘッドであり、ケース３の外に突出している尖頭部１８と、その両側に設けられたガイド板１９ａ、１９ｂを備えている。そしてその軸部２０はケース３内に延びており（図１及び２）、前部２１と中間部２２と後部２３とからなる。そして、円柱状の中間部２２が前述の台座１３と固定部材１５の円弧部１５ａにより画成されるスペースに回転可能に挿入され、中間部２２と前部２１、後部２３との境界部に形成された段部２２ａ、２２ｂがそれぞれ台座１３と固定部材１５の両端面に当接して、抜け止めされている。すなわち、台座１３と固定部材１５とが軸部２０を回転可能に支持する軸受を構成しており、台座１３の上に軸部２０の中間部２２を載せ、垂直直線部１５ｂ、１５ｃで台座１３を挟むようにしてヘッド軸固定部材１５を台座１３に取り付けることにより、転写ヘッド１７はケース３に取り付けられる（図１、３）。
【００１２】
軸部２０の後部２３は、図４にその断面が示されており、中間部２２と同心の中央部２３ａと、中央部２３ａから径方向外方へ延びる径方向延長部２３ｂと、延長部２３ｂの外端部から中央部２３ａと同心で円周方向に所定の長さだけ延びる係止部としての円弧部２３ｃとを備えている。これについては後述する。
【００１３】
テープカートリッジ３１は、カートリッジケース３３を備え、このカートリッジケース３３は周壁３５とその上側を閉じる上壁３７とを備えている。周壁３５は、ケース３の周壁９と同様に円弧部３５ａと接線部３５ｂ、３５ｃを備え、ケース３の周壁１１の内側に多少きつめに嵌まるようになっている。また周壁３５はその接線部３５ｂ、３５ｃの先端に、ケース３の切欠き１２ａ、１２ｂの部分をそれぞれ埋める係止部３６ａ、３６ｂを備えている。テープカートリッジ３１がケース３に嵌められると、ケース３の直線部８と、カートリッジケース３３の係止部３５ａ、３５ｂと上壁３７との縁部により、転写ヘッド１７の軸部２０が挿通される開口４を画成する。
【００１４】
カートリッジケース３３の円弧部３５ａの中心において上壁３７から中心軸３９が下に伸びている。符号４１はテープ軸であり、カートリッジケース３３の下側に取り付けられた蓋４７に明けられた孔を通過し、ケース３の長孔５ａに嵌まっている。下端部は図５に示されるように摘み４１ａとなっている。また上下方向中央より少し上で径方向に広がるフランジ４３を備えている。そしてテープ軸４１の上側から盲孔４１ａが明けられており、その中に中心軸３９が緩くはまっている。テープ軸４１のフランジ４３より上の部分は複数箇所でスリットが入れられ、円周方向で分割された複数のバネ性を備えた接触子４５となっている。符号４９はテープ（図示せず）の供給リール或いはテープ芯で、これに未使用のテープが巻かれている。このテープ芯４９は接触子４５に嵌まっており、その弾性力によってテープ軸と一緒に回転するようになっているが、一定以上の抵抗が掛かると両者はスリップする。また符号５１はフランジ４３の下面側に取り付けられた巻き取りリール或いはテープ芯であり、その径は供給側のテープ芯４９の其より大きくなっている。
【００１５】
未使用のテープは前述のとおり図１においてフランジ４３の上に配置され、図２で時計方向に繰り出され、ヘッドの尖頭部１８の先端を図中矢印で示す方向に移動して回り、図１でフランジ４３の下側に配置された巻き取り用のテープ芯５１に巻き取られる。回転方向は図２でやはり時計方向である。
【００１６】
カートリッジケース３３の上壁３７には、転写ヘッド１７の軸部２０の後部２３の上方の位置に方形の窓５３が明いている（図１、４）。そして窓５３のヘッド１７の軸芯方向での両縁部から下方に垂下部５４、５５が設けられ（図１）、その下端部を繋ぐ断面円弧状の、係止部としてのブリッジ５６が設けられている（図１及び４）。この円弧の部分は軸部２０の後部２３の円弧部２３ｃと同心であり、ブリッジ５６の外径は円弧部２３ｃの内径と等しくなっている。ただし、後述の係止動作が無理なく行える限りにおいて、ブリッジ５６の外径は円弧部２３ｃの内径より若干大きくなっていてもよい。ブリッジ５６と窓５３の縁部の垂下部５７との間には、円弧部２３ｃが通過できる十分なクリアランスがある。
【００１７】
図１乃至５では転写ヘッド１７が縦引きの状態にある。すなわち、図２において尖頭部１８の先端下面側１８ａを例えば紙面の上に強く押し当て、図２において右方向へ移動させて塗膜を転写させる。この場合、ヘッド１７が弾性変形してその先端側が開口４の上側縁部に当たっても、その力はテープカートリッジ３１をケース３から離脱させるようには作用しない。また、カテープカートリッジ３１はケース３に若干きつめに嵌まっている上に、この状態で使用する場合にはケース３の接線部７ａ、７ｂを上下から押す形となるので、カートリッジ３１はさらにケース３から外れにくくなる。
【００１８】
ところでいわゆる横引きをしようとする場合は、転写ヘッド１７を図３或いは４において反時計方向に約９０度回転させる。するとヘッド１７の軸部２０の後部２３の円弧部２３ｃが、図４に二点鎖線で示すようにブリッジ５６の上に乗り上げる。円弧部２３ｃの根元内側に形成される底部２３ｄによりその回転角度は制限される。この状態での転写具１の一部分が図１と同じ断面で図６に示されているが、これから判るとおり、この使用状態では上方へ弾性変形するヘッド１７の先端側が開口４の上側縁部に当たり、カートリッジケース３３をケース３から外す方向に力が作用する。しかしながら前述のとおり軸後部の円弧部２３ｃがブリッジ５６の上に乗り上げ、その方向への移動を阻止する。
【００１９】
テープの交換を行う際には、図１乃至５の状態で、図１においてテープ軸４１を下の長孔５ａから上側に押すだけでテープカートリッジ３１をケース３から外すことができる。取り付ける場合は、ケース３の開いている上側から押し込むだけでよい。使用中にテープに弛みが生じた場合には、テープ軸４１の摘み４１ａを摘んでテープ軸４１を回転させる。
【００２０】
【発明の効果】
上記説明から明らかなとおり、本発明によれば、片面側が開いたケースのテープカートリッジを嵌め込むだけで塗膜転写テープのケースへの取り付けができ、なんら他の取り付け部材等の取り付け、取り外しを要さず、テープの交換作業がきわめて簡単に行える。また、テープカトリッジのカートリッジケースが、ケースの開いている片面側を閉じて、塗膜転写具のケースの一部を構成するので、部品点数の削減が図れる。さらに、縦引きと横引きの両用が可能であり、縦引きの際にはそのまま使用してもテープカートリッジがケースから外れることがなく、横引きにするために転写ヘッドを所定の方向に回転させると、テープカートリッジがケースに離脱不能に結合され、きわめて使い勝手に優れたものとなる。
【図面の簡単な説明】
【図１】本発明の具体的実施の形態にかかる塗膜転写具の縦断面図である。
【図２】図１のＡ−Ａ断面図である。
【図３】図１のＢ−Ｂ断面図である。
【図４】図１のＣ−Ｃ断面図である。
【図５】図１のＤ−Ｄ断面図である。
【図６】転写ヘッドを横引きの状態にしたときの部分縦断面図である。
【符号の説明】
１  塗膜転写具
３  ケース
５  底壁
９  周壁
１７  転写ヘッド
２０  軸部
２３  軸後部
２３ｃ  円弧部
３１  テープカートリッジ
３３  カートリッジケース
３５  周壁
３７  上壁
５３  窓
５６  ブリッジ
【図１】
0004312927.tif 000002
【図２】
0004312927.tif 000003
【図３】
0004312927.tif 000004
【図４】
0004312927.tif 000005
【図５】
0004312927.tif 000006
【図６】
0004312927.tif 000007